(57)【要約】 【課題】ホログラム記録材料の不必要な感光を防止でき、且つ、記録後のホログラム記録材料を省スペースで保管することができると共に、通常のＲＯＭディスクとの互換性を容易に取れるようにすること。【解決手段】カートリッジ筐体５から取り出したホログラム記録材料５０に情報を記録してファイナライズした場合、システム制御部２はホログラム記録材料５０をカートリッジ筐体５に収納することなく、このホログラム記録材料５０をホログラム記録材料分離機構４によりカートリッジ筐体５から分離して排出する。以降、この裸のホログラム記録材料５０をＲＯＭディスクとして省スペースで保管することができると共に、ＲＯＭディスク専用の再生装置で再生することができ、通常のＲＯＭディスクとの互換性を容易に得ることができる。【選択図】図１
2007018552.tif 000002
【特許請求の範囲】
【請求項１】
信号光と再生光の干渉縞を遮光性のあるカートリッジ筐体に収納したホログラム記録材料に情報として記録し、少なくとも記録した領域はファイナライズして定着させるホログラム装置であって、
前記カートリッジ筐体に収納したホログラム記録材料をローディングするローディング手段と、
前記情報を記録した後のホログラム記録材料をファイナライズしたかどうかを検出する検出手段と、
前記ホログラム記録材料がファイナライズされていないと検出されると、当該ホログラム記録材料を前記カートリッジ筐体に収納して排出する排出手段と、
を具備することを特徴とするホログラム装置。
【請求項２】
カートリッジ筐体に収納したホログラム記録材料に参照光を照射して再生情報を得るホログラム装置であって、
前記カートリッジ筐体に収納したホログラム記録材料をローディングするローディング手段と、
前記ローディングしたホログラム記録材料を再生した後、当該ホログラム記録材料がファイナライズされているかどうかを検出する検出手段と、
前記ホログラム記録材料がファイナライズされていないと検出されると、当該ホログラム記録材料を前記カートリッジ筐体に収納して排出する排出手段と、
を具備することを特徴とするホログラム装置。
【請求項３】
信号光と再生光の干渉縞を遮光性のあるカートリッジ筐体に収納したホログラム記録材料に情報として記録し、少なくとも記録した領域はファイナライズして定着させるホログラム装置であって、
前記カートリッジ筐体に収納したホログラム記録材料をローディングするローディング手段と、
前記情報を記録した後のホログラム記録材料をファイナライズしたかどうかを検出する検出手段と、
前記ホログラム記録材料がファイナライズされていると検出されると、当該ホログラム記録材料を前記カートリッジ筐体から分離して排出する分離手段と、
を具備することを特徴とするホログラム装置。
【請求項４】
前記分離手段は、前記ホログラム記録材料がファイナライズされていると検出された場合で且つ使用者の分離停止指示がない場合に、当該ホログラム記録材料を前記カートリッジ筐体から分離して排出することを特徴とする請求項３記載のホログラム装置。
【請求項５】
カートリッジ筐体に収納したホログラム記録材料に参照光を照射して再生情報を得るホログラム装置であって、
前記カートリッジ筐体に収納したホログラム記録材料をローディングするローディング手段と、
前記ローディングしたホログラム記録材料を再生した後、当該ホログラム記録材料がファイナライズされているかどうかを検出する検出手段と、
前記ホログラム記録材料がファイナライズされていると検出されると、当該ホログラム記録材料を前記カートリッジ筐体から分離して排出する分離手段と、
を具備することを特徴とするホログラム装置。
【請求項６】
前記分離手段は、前記ホログラム記録材料がファイナライズされていると検出された場合で且つ使用者の分離停止指示がない場合に、当該ホログラム記録材料を前記カートリッジ筐体から分離して排出することを特徴とする請求項５記載のホログラム装置。
【請求項７】
前記ローディング手段は、カートリッジ挿入口にセットされた前記カートリッジ筐体からそれに収納されているホログラム記録材料の一部または全部を取り出して内部にローディングすることを特徴とする請求項１乃至６いずれか１項記載のホログラム装置。
【請求項８】
前記ローディング手段は、カートリッジ挿入口にセットされた前記カートリッジ筐体を内部に引き込んだ後、前記カートリッジ筐体からそれに収納されている前記ホログラム記録材料の一部または全部を取り出してローディングすることを特徴とする請求項１乃至６いずれか１項記載のホログラム装置。
【請求項９】
前記ホログラム記録材料はフォトポリマーであることを特徴とする請求項１乃至８いずれか１項記載のホログラム装置。
【請求項１０】
信号光と再生光の干渉縞を遮光性のあるカートリッジ筐体に収納したホログラム記録材料に情報として記録し、ファイナライズして定着させるホログラム記録方法であって、
前記情報を記録してから前記ホログラム記録材料をファイナライズしない場合は、当該ホログラム記録材料を前記カートリッジ筐体に収納することを特徴とするホログラム記録方法。
【請求項１１】
カートリッジ筐体に収納したホログラム記録材料に参照光を照射して再生情報を得るホログラム再生方法であって、
前記ホログラム記録材料を再生した後、当該ホログラム記録材料がファイナライズされているかどうかを検出し、当該ホログラム記録材料がファイナライズされていない場合は、当該ホログラム記録材料を前記カートリッジ筐体に収納することを特徴とするホログラム再生方法。
【請求項１２】
信号光と再生光の干渉縞を遮光性のあるカートリッジ筐体に収納したホログラム記録材料に情報として記録し、少なくとも記録した領域はファイナライズして定着させるホログラム記録方法であって、
前記情報を記録してから前記ホログラム記録材料をファイナライズした後、当該ホログラム記録材料を前記カートリッジ筐体から分離することを特徴とするホログラム記録方法。
【請求項１３】
カートリッジ筐体に収納したホログラム記録材料に参照光を照射して再生情報を得るホログラム再生方法であって、
前記ホログラム記録材料を再生した後、当該ホログラム記録材料がファイナライズされているかどうかを検出し、当該ホログラム記録材料がファイナライズされていると検出されると、当該ホログラム記録材料を前記カートリッジ筐体から分離することを特徴とするホログラム再生方法。
【発明の詳細な説明】
【技術分野】
【０００１】
本発明は、２光束の干渉縞をホログラム記録材料に記録再生するホログラム装置に係り、特にホログラム記録材料を収納したカートリッジ型ホログラム記録媒体の記録再生に関する。
【背景技術】
【０００２】
近年、ホログラフィック技術は、次世代、次々世代光ディスクと競合する強力なストレージ候補として注目を集めているホログラフィックメモリの実用化に向けて、急速に開発が進められており、ホログラム技術を利用して大容量データの記録再生を行うホログラフィックデータストレージシステムの開発が提案されている。
【０００３】
従来のホログラム記録光学系では、コヒーレントな信号光と参照光の干渉縞をホログラム記録材料（例えばフォトポリマーなど）に記録するが、その際、ホログラム記録材料が特定の波長域の光により露光されることを利用してデータの記録がなされている。
【０００４】
それ故、ホログラム記録前の記録材料にその材料自体が感度を持つ波長域の光（例えば蛍光灯の光など）が照射されると記録材料が露光されてしまい、露光されてしまった領域ではダイナミックレンジが減って記録容量が減るのと、記録データのＳ／Ｎが悪化するなどの不具合が生じる恐れがある。そのため記録材料にデータを記録するまでは無用な露光を防ぐために記録材料への光の照射を妨げる必要がある。また、一度記録したホログラム記録材料に追記などを行う場合、既に記録されている部分はキュアーされているため、影響はないが未記録部分に光が当たると、この部分に上記と同様の不具合が生じるため、再度記録するまでの期間はホログラム記録材料に材料自体が感度を持つ波長域の光が照射されることを防ぐ必要がある。
【０００５】
そこで、上述の問題点を改善するため、記録材料を遮光性の高いフィルムやカートリッジなどにホログラム記録材料を収納するなどして、不要な露光を防ぐなどの方法が公知である（例えば特許文献１参照）。
【特許文献１】特開２００４−３６２７４３号公報  （第４−６頁、第２図）
【発明の開示】
【発明が解決しようとする課題】
【０００６】
しかしながら、ホログラム記録材料を遮光性の高いフィルムなどに入れた場合は一度開封してしまうと、２度目以降に再び同フィルムに収納しても十分な遮光性が得られず、上記した追記のために再度ホログラム記録材料を使用することが困難になってしまう。またホログラム記録材料をカートリッジに収納すれば上記の問題は解決されるが、ホログラム記録材料がカートリッジサイズとなってしまうため、保存時に場所をとってしまうという問題が発生する。また、ホログラムの再生装置にカートリッジ型のホログラム記録媒体を装置内部にローディングする機構が必要となるため、装置が複雑になり、その分装置の製造コストが上昇するという問題が発生する。また、カートリッジなしのホログラムＲＯＭディスクを再生する再生装置と、カートリッジ型のホログラム記録媒体を再生する再生装置とでは機構が異なるため、ＲＯＭディスクなどとの互換性がとりづらいという問題がある。
【０００７】
本発明は前記事情に鑑み案出されたものであって、本発明の目的は、ホログラム記録材料の不必要な感光を防止でき、且つ、記録後のホログラム記録材料を省スペースで保管することができると共に、通常のＲＯＭディスクとの互換性を容易に取ることができるホログラム記録再生方法及びこの方法を用いたホログラム装置を提供することにある。
【課題を解決するための手段】
【０００８】
本発明は上記目的を達成するため、信号光と再生光の干渉縞を遮光性のあるカートリッジ筐体に収納したホログラム記録材料に情報として記録し、少なくとも記録した領域はファイナライズして定着させるホログラム装置であって、前記カートリッジ筐体に収納したホログラム記録材料をローディングするローディング手段と、前記情報を記録した後のホログラム記録材料をファイナライズしたかどうかを検出する検出手段と、前記ホログラム記録材料がファイナライズされていないと検出されると、当該ホログラム記録材料を前記カートリッジ筐体に収納して排出する排出手段とを具備することを特徴とする。
【０００９】
また、本発明は、カートリッジ筐体に収納したホログラム記録材料に参照光を照射して再生情報を得るホログラム装置であって、前記カートリッジ筐体に収納したホログラム記録材料をローディングするローディング手段と、前記ローディングしたホログラム記録材料を再生した後、当該ホログラム記録材料がファイナライズされているかどうかを検出する検出手段と、
前記ホログラム記録材料がファイナライズされていないと検出されると、当該ホログラム記録材料を前記カートリッジ筐体に収納して排出する排出手段とを具備することを特徴とする。
【００１０】
また、本発明は、信号光と再生光の干渉縞を遮光性のあるカートリッジ筐体に収納したホログラム記録材料に情報として記録し、少なくとも記録した領域はファイナライズして定着させるホログラム装置であって、前記カートリッジ筐体に収納したホログラム記録材料をローディングするローディング手段と、前記情報を記録した後のホログラム記録材料をファイナライズしたかどうかを検出する検出手段と、前記ホログラム記録材料がファイナライズされていると検出されると、当該ホログラム記録材料を前記カートリッジ筐体から分離して排出する分離手段とを具備することを特徴とする。
【００１１】
また、本発明は、カートリッジ筐体に収納したホログラム記録材料に参照光を照射して再生情報を得るホログラム装置であって、前記カートリッジ筐体に収納したホログラム記録材料をローディングするローディング手段と、前記ローディングしたホログラム記録材料を再生した後、当該ホログラム記録材料がファイナライズされているかどうかを検出する検出手段と、前記ホログラム記録材料がファイナライズされていると検出されると、当該ホログラム記録材料を前記カートリッジ筐体から分離して排出する分離手段とを具備することを特徴とする。
【００１２】
このように本発明では、当初は遮光性のあるカートリッジ筐体にホログラム記録材料を収納した形で使用保管し、その後、装置内でカートリッジ筐体から取り出したホログラム記録材料に情報を記録してファイナライズした場合、ホログラム記録材料をカートリッジ筐体に収納することなく、分離して排出することにより、以降、この裸のホログラム記録材料をＲＯＭディスクとして省スペースで保管することができると共に、ＲＯＭディスク専用の再生装置で再生することができ、通常のＲＯＭディスクとの互換を容易にとることができる。また、当初は遮光性のあるカートリッジ筐体にホログラム記録材料を収納した形で使用保管するため、ホログラム記録材料が未記録状態の時には不必要な感光を防止して、仕様どおりの記録性能を保持することが出来る。さらに、ファイナライズされていないホログラム記録材料は必ずカートリッジ筐体に収納して排出することにより、ファイナライズされていないホログラム記録材料の感光を防止することができる。
【発明の効果】
【００１３】
本発明によれば、当初は遮光性のあるカートリッジ筐体にホログラム記録材料を収納した形で使用保管し、その後、装置内でカートリッジ筐体から取り出したホログラム記録材料に情報を記録してファイナライズした場合、ホログラム記録材料をカートリッジ筐体に収納することなく分離して排出することにより、ホログラム記録材料の不必要な感光を防止でき、且つ、記録後のホログラム記録材料を省スペースで保管することができると共に、通常のＲＯＭディスクとの互換性を容易に取ることができる。
【発明を実施するための最良の形態】
【００１４】
ホログラム記録材料の不必要な感光を防止でき、且つ、記録後のホログラム記録材料を省スペースで保管することができると共に、通常のＲＯＭディスクとの互換性を容易に取れるようにする目的を、当初は遮光性のあるカートリッジ筐体にホログラム記録材料を収納した形で使用保管し、その後、装置内でカートリッジ筐体から取り出したホログラム記録材料に情報を記録してファイナライズした場合、ホログラム記録材料をカートリッジ筐体に収納することなく分離して排出することによって実現した。
【実施例１】
【００１５】
図１は、本発明の一実施形態に係るホログラム装置の構成を示したブロック図である。ホログラム装置は、空間変調された信号光１００と参照光２００を生成するホログラム記録再生光光学系１、ホログラム記録材料５０をカートリッジ筐体５に収納して成るカートリッジ型ホログラム記録媒体１０をホログラム装置６０にローディングしたり、カートリッジ型ホログラム記録媒体１０からホログラム記録材料５０を分離する制御などの個別制御及び装置全体の制御を行うシステム制御部２、カートリッジ型ホログラム記録媒体１０をホログラム装置６０にローディングするローディング機構３、カートリッジ型ホログラム記録媒体１０からホログラム記録材料５０を分離するホログラム記録材料分離機構４を有して構成されている。
【００１６】
次に本実施形態の動作について図２のフローチャートを参照して説明する。まず、図１に示したような構成のホログラム装置６０とカートリッジ型ホログラム記録媒体１０を図３に示すように用意し、図４に示すようにホログラム記録材料５０を収納したカートリッジ型ホログラム記録媒体１０をホログラム装置６０の挿入口に設置する。これにより、システム制御部２はステップ１０１にて、ローディング機構３を動作させて図５に示すようにカートリッジ型ホログラム記録媒体１０をローディングし、カートリッジ筐体５からホログラム記録材料５０を取り出して図示されないディスク回転機構にセットする。
【００１７】
この時、カートリッジ筐体５内のホログラム記録材料５０は（１）何も記録されていない、（２）データが記録されておりファイナライズされていない、（３）データが記録されておりファイナライズされている、の三通りがある。尚、ファイナライズとはホログラム記録後にホログラム記録材料５０内に追記できないようにする処理のことである。例としてフォトポリマーの場合、記録後に記録に寄与しないホログラム記録材料５０内の成分をＬＥＤなどのインコヒーレントな光を照射して拡散させることである。
【００１８】
次に、システム制御部２はステップ１０２にて、セットされたホログラム記録材料５０がファイナライズされたディスクかどうかを判定し、そうである場合はステップ１０３に進み、ホログラム記録再生光光学系１から参照光２００のみをカートリッジ型ホログラム記録媒体１０に照射して記録データを読み出す再生を行なった後、ステップ１０７の処理に進み、ホログラム記録材料分離機構４によってホログラム記録材料５０をカートリッジ筐体５から分離し、図６に示すように裸のホログラム記録材料５０とカーリッジ筐体５を外部に排出し、処理を終了する。
【００１９】
一方、ファイナライズされていないディスクの場合はステップ１０４に進み、このディスクにデータを記録するのかどうかを判定し、記録する場合はステップ１０５に進み、記録しない場合はステップ１０８に進む。
【００２０】
システム制御部２はステップ１０５にて、ホログラム記録再生光光学系１から空間変調された信号光１００と参照光２００をホログラム記録材料５０に照射してデータの記録を行なった後、ステップ１０６にて、記録を行ったホログラム記録材料（記録ディスク）５０がファイナライズされているかどうかを判定する。その結果、ファイナライズされている場合はステップ１０７にて、ホログラム記録材料分離機構４によってホログラム記録材料５０をカートリッジ筐体５から分離し、図６に示すように裸のホログラム記録材料５０とカートリッジ筐体５を外部に排出し、処理を終了する。また、ファイナライズされていない場合はステップ１０９にて、図７に示すようにローディング機構３によってホログラム記録材料５０をカートリッジ筐体５に収納してから外部に排出して処理を終了する。
【００２１】
一方、ステップ１０８に進んだ場合、システム制御部２はホログラム記録再生光光学系１から参照光２００のみをホログラム記録材料５０に照射して記録データを読み出す再生を行なう。その後、ステップ１０９にてホログラム記録材料５０をローディング機構３によりカートリッジ筐体５に戻し、図７に示すようにカートリッジ型ホログラム記録媒体１０を外部に排出して処理を終了する。
【００２２】
ここで、ファイナライズされた裸のホログラム記録材料５０は、以降、ＲＯＭディスクとして、ＲＯＭディスクを再生用の再生装置によって再生することができる。
【００２３】
結局、上記のシステム制御部２の制御により、ホログラム記録材料５０の状態が（１）の場合、何も記録されていないホログラム記録材料５０にデータ記録後ファイナライズした場合にはホログラム記録材料５０は露光の影響を受けないため遮光する必要がないため、カートリッジ筐体５が不要となり、装置内で機械的に分離されて裸のホログラム記録材料５０となって排出される（図６）。データ記録後ファイナライズしない場合はホログラム記録材料５０内にはまだ露光の影響を受けてしまう未記録領域が存在するためカートリッジ筐体５に戻して装置から排出される（図７）。（２）の場合で、データを記録する場合は（１）と同様である。（２）の場合で再生する場合はホログラム記録材料５０中にまだ露光の影響を受けてしまう未記録領域があるため再生後はホログラム記録材料５０が露光してしまわないように再びカートリッジ筐体５に戻して装置から排出される（図７）。  （３）の場合、ファイナライズされているため使用用途が再生のみであり且つ露光の影響を受けないため、装置で再生後はカートリッジ筐体５から取り出す事が行われる（図６）。
【００２４】
本実施形態によれば、カートリッジ筐体５内のホログラム記録材料５０がファイナライズされている場合はホログラム記録材料５０をカートリッジ筐体５から分離して排出するため、以降、この裸のホログラム記録材料５０を保存すれば良く、保存スペースが余計に掛かることがなく、ＲＯＭディスクとして保管することができる。また、ホログラム記録材料５０は裸でＲＯＭディスクと全く同じ形態になるため、ＲＯＭディスク再生用の装置で再生でき、ＲＯＭディスクとの互換性を取ることができる。それでいて、ファイナライズされていない間はカートリッジ筐体５に収納されているカートリッジ型ホログラム記録媒体１０であるため不必要に露光されることなく、仕様どおりの記録容量やＳ／Ｎを保持することができる。
【００２５】
尚、図３〜図７に示すように、本実施形態のホログラム装置６０はカートリッジ型ホログラム記録媒体１０をホログラム装置６０の挿入口にセットすると、収納されているホログラム記録材料５０のみを取り出して装置内部にローディングする構成であるが、カートリッジ型ホログラム記録媒体１０を装置内部に引き込んでからカートリッジ筐体５からホログラム記録材料５０を取り出してローディングする構成でも同様の効果がある。
【００２６】
また、本発明は上記実施形態に限定されることなく、その要旨を逸脱しない範囲において、具体的な構成、機能、作用、効果において、他の種々の形態によっても実施することができる。本実施形態のステップ１０３の処理後、システム制御部２はステップ１０９でホログラム記録材料５０をカートリッジから分離するかどうかを表示してユーザに問い合わせ、装置の操作パネルなどからユーザの分離指示がない場合はステップ１０７に進み、分離停止指示がある場合はステップ１０９の処理に進むようにして、ファイナライズされたホログラム記録材料５０をそのままカートリッジ筐体５に収納して取り出す選択肢を設けても良い。これによりホログラム記録材料５０をカートリッジ筐体５に収納して保管することができ、ユーザの好みに応ずることができる。同様に、ホログラム記録材料５０にデータを記録してファイナライズした場合でも、ユーザの分離停止指示があると、ホログラム記録材料５０をカートリッジ筐体５に収納した形で排出するようにして良い。また、追記を必要としないシステム構成の場合には記録後、必ずファイナライズされるためカートリッジ筐体５は初回の記録までの間のみしか必要とされない。そのため使い捨てを想定した紙などでできたカートリッジを使用することが可能である。
【図面の簡単な説明】
【００２７】
【図１】本発明の一実施形態に係るホログラム装置の構成を示したブロック図である。
【図２】図１に示したホログラム装置の動作手順を示したフローチャートである。
【図３】図１に示したホログラム装置にカートリッジ型ホログラム記録媒体を出し入れする際の動作を説明する図である。
【図４】図１に示したホログラム装置にカートリッジ型ホログラム記録媒体を出し入れする際の動作を説明する図である。
【図５】図１に示したホログラム装置にカートリッジ型ホログラム記録媒体を出し入れする際の動作を説明する図である。
【図６】図１に示したホログラム装置にカートリッジ型ホログラム記録媒体を出し入れする際の動作を説明する図である。
【図７】図１に示したホログラム装置にカートリッジ型ホログラム記録媒体を出し入れする際の動作を説明する図である。
【符号の説明】
【００２８】
１……ホログラム記録再生光光学系、２……システム制御部、３……ローディング機構、４……ホログラム記録材料分離機構、５……カートリッジ筐体、１０……カートリッジ型ホログラム記録媒体、５０……ホログラム記録材料、６０……ホログラム装置。
【図１】
2007018552.tif 000003
【図２】
2007018552.tif 000004
【図３】
2007018552.tif 000005
【図４】
2007018552.tif 000006
【図５】
2007018552.tif 000007
【図６】
2007018552.tif 000008
【図７】
2007018552.tif 000009